(57)【要約】【課題】ビルなどの建造物の情報処理の拠点として活用でき、建造物の高インテリジェント化を実現できる空調室内機を提供する。【解決手段】空調室内機１は、空調部１と、アプライアンスサーバ２とを有している。アプライアンスサーバ２は、接続部５と、ＬＡＮインターフェース（Ｉ／Ｆ）７と、処理部９とを有している。ＬＡＮインターフェース７は、ＬＡＮ６と処理部９とを接続する。接続部５には、空調部１、テレビカメラ４及び無線ＬＡＮステーション８が直接接続され、テレビカメラ４から画像情報などを直接取得できる。接続部５には、センサなどを接続することも可能である。処理部９は、所定のアプリケーションを有しており所定の処理を実行する。無線ＬＡＮステーション８は、ＯＡ機器１０、ＢＡ機器１１をＬＡＮ６に無線接続する。【選択図】　図１
2004077063.tif 000002
【特許請求の範囲】
【請求項１】
室内空調手段（１）と、
前記室内空調手段の制御以外に用いられるアプライアンスサーバ（２）と、
を備えた空調室内機（３）。
【請求項２】
前記アプライアンスサーバ（２）により作動する装置（４）と前記空調室内機（３）とを接続するための第１接続手段（５）をさらに備えた、請求項１に記載の空調室内機。
【請求項３】
前記装置（４）はセンサ、スピーカ、テレビカメラ、マイクまたは警報機である、請求項２に記載の空調室内機。
【請求項４】
汎用ネットワーク（６）に接続する第２接続手段（７）をさらに備えた、請求項１から３のいずれかに記載の空調室内機。
【請求項５】
前記装置（４）は無線ＬＡＮステーション（８）である、請求項４に記載の空調室内機。
【請求項６】
前記アプライアンスサーバ（２）は分散サーバ、ファイルサーバ、インターネットサーバ、セキュリティサーバ、データベースサーバ、ＪＩＮＩサービス、サーブレットエンジンまたはエージェントシステムとしての処理を実行する、請求項１に記載の空調室内機。
【発明の詳細な説明】
【発明の属する技術分野】
本発明は、空調室内機に関する。
【従来の技術】
ビルなどの建造物内に設置される空調室内機は、リモコンなどにより設定された設定温度に従って室内の暖房や冷房を行う。この室内には、照明、電源設備などのビルオートメーション（ＢＡ）機器や、パソコンなどのＯＡ機器、あるいは特定の用途向けに機能を限定したりするためのアプライアンスサーバなどが机や床の上などに設置される。アプライアンスサーバとは、特定の用途向けに設計・開発されたサーバであり、例えばＷｅｂサーバや負荷分散サーバがこれに当てはまる。アプライアンスサーバは、汎用サーバに比べて機能が限定されているため、操作性の向上、システム障害発生のリスク抑制、低価格を実現する。例えば、空調室内機の運転制御を行うアプライアンスサーバをビルに設置して空調室内機のデマンド制御などをすることが可能である。あるいは、ビル内のＬＡＮとインターネットとの間のファイアウォールとなるアプライアンスサーバを設置して、ビル内部ネットワークのセキュリティを確保することが可能である。このように、ビル内で行われる信頼性の確保が必要な業務をアプライアンスサーバを用いて実行することができる。
【発明が解決しようとする課題】
しかし、前述のＯＡ機器、ＢＡ機器、アプライアンスサーバなどと、空調室内機を含む空調システムとはそれぞれ独立しており、空調室内機の持つメリットがビルのインテリジェント化に生かされている状態とはなっていない。
本発明は、ビルなどの建造物での情報処理の拠点として活用でき、建造物の高インテリジェント化を実現できる空調室内機を提供することを目的とする。
【課題を解決するための手段】
請求項１に係る空調室内機は、室内空調手段と、アプライアンスサーバを備えている。アプライアンスサーバは、室内空調手段の制御以外に用いられる。
ここでは、アプライアンスサーバで空調室内機の制御以外に用いられる処理が行われる。例えば、メールサーバ、Ｗｅｂサーバ、プロキシサーバ、ドメインネームサーバなどのインターネットサーバ、認証サーバ、ファイアウォールサーバなどのセキュリティサーバ、負荷分散サーバ、ファイルサーバ、データベースサーバ、ＪＩＮＩサービス、サーブレットエンジンまたはエージェントシステムとしての処理が行われる。
このように、ここでは空調室内機をビルなどの建造物での情報処理の拠点として活用でき、建造物の高インテリジェント化を実現できる。
請求項２に係る空調室内機は、請求項１に係る空調室内機において、第１接続手段をさらに備えている。第１接続手段は、アプライアンスサーバにより作動する装置と空調室内機とを接続する。
ここでは、センサ、ＢＡ／ＯＡ機器などを空調室内機に接続でき、空調室内機のアプライアンスサーバでＢＡ／ＯＡ機器などの監視・制御が可能となる。特に、室内において概ね全体を見渡せる場所に設置されることが多い空調室内機に第一接続手段を設ければ、センサ、ＢＡ／ＯＡ機器などを短い配線で接続できる。請求項３に係る空調室内機は、請求項２に係る空調室内機において、装置はセンサ、スピーカ、テレビカメラ、マイクまたは警報機である。
ここでは、空調室内機に接続されるセンサなどからセンサ情報等を取得できる。特に、室内において概ね全体を見渡せる場所に設置されることが多い空調室内機にセンサなどを接続して、室内監視を効果的に行うことができる。
請求項４に記載の空調室内機は、請求項１から３のいずれかに記載の空調室内機において、第２接続手段をさらに備えている。第２接続手段は、空調室内機を汎用ネットワークに接続する。
ここでは、ＬＡＮ、イントラ／インターネットなどの汎用ネットワークと空調室内機とを接続することにより、空調室内機と接続された装置を汎用ネットワークに接続できる。また、空調室内機に接続されたセンサ、テレビカメラその他の装置や、汎用ネットワークに接続されたＢＡ／ＯＡ機器、空調室内機、空調室外機などの遠隔監視・制御が、アプライアンスサーバやセンターなどからできる。さらに、センターやパソコンのＷｅｂブラウザなどから空調室内機と接続されたセンサのセンサ情報等にネットワーク経由でアクセスしたり、センサ情報等をネットワーク経由で配信するなどして、遠隔からビル内の状態を把握できる。
請求項５に記載の空調室内機は、請求項４に記載の空調室内機において、装置は無線ＬＡＮステーションである。
ここでは、無線ＬＡＮステーションを空調室内機に接続することで、無線ＬＡＮ子機を有するＯＡ／ＢＡ機器などを配線なしで汎用ネットワークに接続できる。また、汎用ネットワークと無線接続されたＯＡ／ＢＡ機器などを、アプライアンスサーバで運転監視・制御することができる。
請求項６に記載の空調室内機は、請求項１に記載の空調室内機において、アプライアンスサーバは分散サーバ、ファイルサーバ、インターネットサーバ、セキュリティサーバ、データベースサーバ、ＪＩＮＩサービス、サーブレットエンジンまたはエージェントシステムとしての処理を実行する。
ここでは、アプライアンスサーバにインターネットサーバとしての処理などを実行させることにより、空調室内機をビルなどの建造物での情報処理の拠点として活用でき、建造物の高インテリジェント化を実現できる。
【発明の実施の形態】
＜第１実施形態＞
（１）構成
図１は、本発明を用いた空調システムの全体構成図である。このシステムは、空調室内機３と、空調室外機１２と、パソコン・プリンタなどのＯＡ機器１０と、照明・ブラインド・換気扇などのＢＡ機器１１と、センター１５とがＬＡＮ６及びインターネットなどの公衆回線ネットワーク１４で接続されたものである。空調室内機１は、ビルなどの建造物２０の天井など見通しの良い場所に設置される。空調室内機１は、空調部１と、アプライアンスサーバ２とを有している。空調部１は、図示しない室内熱交換器と室内送風機とを有している。空調室外機１２は、図示しない圧縮機と、四路切換弁と、室外熱交換器と、室外送風機とを有している。そして、圧縮機、四路切換弁、室外熱交換器、室内熱交換機及び圧縮機を順次冷媒配管にて環状に接続して冷媒を循環させる冷房サイクルを形成する。また、圧縮機、四路切換弁、室内熱交換機、室外熱交換器及び圧縮機を順次冷媒配管にて環状に接続して冷媒を循環させる暖房サイクルを形成する。
アプライアンスサーバ２は、接続部５と、ＬＡＮインターフェース（Ｉ／Ｆ）７と、処理部９とを有している。接続部５には、空調部１、テレビカメラ４及び無線ＬＡＮステーション８が直接接続され、テレビカメラ４から画像情報などを直接取得できる。接続部５には、センサなどを接続することも可能である。空調室内機３の筐体には、空調部１、アプライアンスサーバ２、テレビカメラ４及び無線ＬＡＮステーション８が収納される。従って、アプライアンスサーバ２などが単に机上や床上に設置されるのと異なり隠れた場所に設置され、これらが過失や故意で損傷するのを防ぐことができる。なお、アプライアンスサーバ２は、空調室内機３から容易に脱着可能にすれば、保守も容易となる。ＬＡＮインターフェース７は、ＬＡＮ６と処理部９とを接続する。処理部９は、接続部５とさらに接続されている。処理部９は、所定のアプリケーションを有しており、所定の処理を実行する。処理部９の行う処理については後述する。無線ＬＡＮステーション８は、ＯＡ機器１０及びＢＡ機器１１をＬＡＮ６に無線接続する。
ＬＡＮ６は、ルータ１３を介してインターネットなどの公衆回線ネットワーク１４と接続されている。ＬＡＮ６には複数の空調室内機３ａ、ｂ、ｃ・・や空調室外機１２を接続できる。ＯＡ機器１０、ＢＡ機器１１は、それぞれ無線ＬＡＮ子機１２、１３を有している。ＯＡ機器１０、ＢＡ機器１１は無線ＬＡＮステーション８及び無線ＬＡＮ子機１２、１３によりＬＡＮと無線接続される。従って、ＯＡ機器１０、ＢＡ機器１１、携帯端末その他無線ＬＡＮ子機１２を有する機器は、空調室内機３近辺の所定の無線通信範囲内に設置すれば無線でＬＡＮ６に接続できる。これにより、空調室内機３、空調室外機１２、ＯＡ機器１０、ＢＡ機器１１、その他の機器の全てを共通のネットワークであるＬＡＮ６に接続することができる。即ち、無線ＬＡＮ子機１２を有する機器に、無線ネットワーク環境を提供でき、これらの機器の移動が容易となる。なお、例えばプリンタといったＯＡ機器１０がＬＡＮ６に接続された際、アプライアンスサーバ２にプリンタ印刷機能が自動的に登録されるなどのプラグアンドプレイ機能を持たせてもよい。あるいは、パソコンや携帯端末などのＯＡ機器１０がＬＡＮ６に接続されており、パソコンや携帯端末などの画面で空調室内機３を選択すると、アプライアンスサーバ２から空調部１を制御するためのプログラムがダウンロードされてパソコンや携帯端末などで空調部１を操作できるようにしてもよい。こうすれば、面倒な接続処理を経ず直ちに必要な装置・機能をＬＡＮ６上で利用できる。
センター１５は、公衆回線ネットワーク１４及びルータ１３を介してＬＡＮ６と接続されている。センター１５からは、空調室内機３、ＯＡ機器１０、ＢＡ機器１１、空調室外機１２の遠隔監視・制御などを行うことができる。
（２）処理部で行われる処理
次に、処理部９で行われる処理について説明する。処理部９では、次の処理が実行される。
（２−１）空調制御処理
この処理では、処理部９は、ＬＡＮインターフェース（Ｉ／Ｆ）７及びＬＡＮ６を介して空調室外機１２の有する図示しない圧縮機の回転数を増減するなどし、建造物２０の室内温度を図示しないリモコンやセンター１５などで指定された設定温度に一致させる制御などを行う。即ち、アプライアンスサーバ２で空調制御を行うことができる。空調部１、空調室外機１２のスケジュール運転及びそれに連動した予熱予冷運転、故障予知、故障診断、個別発停、デマンド制御、運転時間積算、利用度数に応じた従量制課金処理などをさらに行ってもよい。こうすれば、複数の空調室内機３を統合的に制御し単体制御では得られない省エネ運転や省マネー運転などの最適運転を行うことができる。
（２−２）テレビカメラ制御処理
この処理では、処理部９は、接続部５を介して接続されたテレビカメラ４を所定の可動範囲内で動作させて所定の場所を撮影し建造物２０を監視する制御を行う。空調室内機３は天井など見通しの良いところに設置されるため、良好な撮影環境を提供できる。撮影した画像データをアプライアンスサーバ９で加工したり、センター１５に配信したり、無線ＬＡＮで接続されたパソコンや携帯端末などからアクセス可能にしてもよい。このようにすれば、ビル内の状態をセンター１５などから把握することができ、テナントへのサービスも迅速かつタイムリーに行うことができる。
（２−３）ＯＡ機器制御処理
この処理では、処理部９は、無線ＬＡＮステーション８を介してＬＡＮ６に接続されたパソコンやプリンタなどのＯＡ機器１０の監視や制御を行う。例えば、印刷データのスプーリングや、ＯＡ機器１０の故障診断、課金情報処理などを行う。
（２−４）ＢＡ機器制御処理
この処理では、処理部９は、無線ＬＡＮステーション８を介してＬＡＮ６に接続された照明、ブラインド、換気扇などのＢＡ機器１１及び空調室外機１２の監視や制御を行う。例えば、ＢＡ機器１１及び空調室外機１２の連続運転時間を監視したり、スケジュールに従って発停したり、運転時間を積算したり、省エネ制御を行ったり、課金情報処理などを行う。このようにすれば、例えば照明などの稼働状況をテナント毎に正確に把握でき、料金計算も従来の専有面積などによる按分によらず実使用料に応じた不公平のない課金が可能になる。
（３）空調室内機の特徴
（３−１）空調室内機３は、アプライアンスサーバ２、テレビカメラ４など建造物２０の高インテリジェント化に必要な機器をオールインワンで有している。このため、アプライアンスサーバ２などを単に室内の床や机上に設置するよりも見た目、施工性、設置場所の確保の面で有利である。また、アプライアンスサーバ２などは、天井など隠れた場所に設置される空調室内機３の筐体に収納されるため、アプライアンスサーバ２などを保護するための配電盤などを別途設ける必要がなくなる。さらに、テレビカメラ４から接続部５への短配線化も実現できる。
（３−２）空調室内機３のネットワーク配線工事はアプライアンスサーバ２の配線工事と一体となるため、ネットワーク工事が省力化され、コスト削減にもつながる。
（３−３）空調室内機３は接続部５によりテレビカメラ４を接続し、テレビカメラ４は空調室内機３の筐体に収納される。空調室内機３は天井など見通しの良いところに設置されるため、テレビカメラ４は良好な撮影環境を確保できる。
（３−４）テレビカメラ４を接続部５で直接接続して画像情報などを取り込むことができる。従って、特別な情報送受信機でテレビカメラ４を接続する場合と異なり、電流電圧変換器やプロトコル変換などによる画像データへのノイズ混入などが生じにくい。
（３−５）無線ＬＡＮステーション８により、ＯＡ機器１０及びＢＡ機器１１が無線でＬＡＮ６に接続され、省配線化が実現できる。
（３−６）即ち、上記のような空調室内機３を建造物２０に設置して情報処理拠点とし、建造物２０の高インテリジェント化を実現できる。
＜その他の実施形態＞
（Ａ）アプライアンスサーバ３の処理部９は上記以外の処理を行ってもよい。例えば、メールサーバ、Ｗｅｂサーバ、プロキシサーバ、ドメインネームサーバなどのインターネットサーバ、認証サーバ、ファイアウォールサーバなどのセキュリティサーバ、負荷分散サーバ、ファイルサーバ、データベースサーバ、ＪＩＮＩサービス、サーブレットエンジンまたはエージェントシステムとしての処理、その他の処理を行ってもよい。このようにすれば、空調室内機３をモバイルエージェントの実行環境やセキュリティ管理などの情報処理を行うための拠点として活用できる。また、このような情報処理をサービスとして提供して課金処理をすることもできる。
（Ｂ）前記第１実施形態のアプライアンスサーバ２には、テレビカメラ４及び無線ＬＡＮステーション８が接続されていた。しかし、空調室内機３が設置される位置である建造物２０内の天井など見通しのよい位置に設置するのが好ましいその他の機器、例えば温度センサ、湿度センサ、輻射センサなどの各種センサ、スピーカ、集音マイク、警報機などを接続してデータ計測などをしてもよい。こうすれば、センサ信号などを取得して空調室内機３の消し忘れ検知など建造物２０の状態をアプライアンスサーバ２またはセンター１５でリアルタイムに把握することが可能である。また、アプライアンスサーバ２やセンター１５から建造物２０のテナントへの消し忘れ通報などのサービスを迅速かつタイムリーに行うことができる。
（Ｃ）上記第１実施形態においてアプライアンスサーバ２で行われる処理を必要に応じて複数のアプライアンスサーバに分散させてもよい。こうすれば、一つのアプライアンスサーバ２にかかる負荷が軽減される。
（Ｄ）上記第１実施形態においてアプライアンスサーバ２で行われる処理をセンター１５で行ってもよい。例えば、空調部１、ＯＡ機器１０、ＢＡ機器１１及び空調室外機１２の状態を示す情報をセンター１５で受信して蓄積したり、また空調部１、ＯＡ機器１０、ＢＡ機器１１及び空調室外機１２の制御命令をセンター１５から送信する。あるいは接続部５に接続されたセンサ、テレビカメラからの情報を受信する。こうすれば、センター１５で建造物２０内のデータを計測したり、空調部１、ＯＡ機器１０、ＢＡ機器１１及び空調室外機１２を遠隔監視・制御したり、空調部１などの故障予測、故障診断、利用度数に応じた従量制課金などをすることが可能である。
【発明の効果】
請求項１に係る発明では、空調室内機の設置されたビルなどの建造物に高度な情報処理ステーションを構築でき、建造物の高インテリジェント化に役立つ。
請求項２に係る発明では、センサ、ＢＡ／ＯＡ機器などを空調室内機に接続でき、空調室内機のアプライアンスサーバでＢＡ／ＯＡ機器などの監視・制御が可能となる。
請求項３に係る発明では、空調室内機に接続されるセンサなどからセンサ情報等を取得できる。
請求項４に係る発明では、ＬＡＮ、イントラ／インターネットなどの汎用ネットワークと空調室内機とを接続することにより、空調室内機と接続された装置を汎用ネットワークに接続できる。また、空調室内機に接続されたセンサ、テレビカメラその他の装置や、汎用ネットワークに接続されたＢＡ／ＯＡ機器、空調室内機、空調室外機などの遠隔監視・制御がアプライアンスサーバやセンターなどからできる。さらに、センターやパソコンのＷｅｂブラウザなどから空調室内機と接続されたセンサのセンサ情報等にネットワーク経由でアクセスしたり、センサ情報等をネットワーク経由で配信するなどして遠隔からビル内の状態を把握できる。
請求項５に係る発明では、無線ＬＡＮステーションを空調室内機に接続することで、無線ＬＡＮ子機を有するＯＡ／ＢＡ機器などを配線なしで汎用ネットワークに接続できる。また、汎用ネットワークと無線接続されたＯＡ／ＢＡ機器などを、アプライアンスサーバで運転監視・制御することができる。
請求項６に係る発明では、アプライアンスサーバにインターネットサーバとしての処理などを実行させることにより、空調室内機をビルなどの建造物での情報処理の拠点として活用でき、建造物の高インテリジェント化を実現できる。
【図面の簡単な説明】
【図１】第１実施形態に係る空調システムの全体構成図。
【符号の説明】
３：空調室内機
１０：ＯＡ機器
１１：ＢＡ機器
１２：空調室外機
１５：センター
【図１】
2004077063.tif 000003